(57)【特許請求の範囲】
【請求項１】
第一の材料により設けた把持部と、この第一の材料と異なる性質を有する第二の材料により設けた指当部とを備えた剃刀の柄において、
前記指当部は剃刀の刃先が向く側である腹側とその反対側である背側とでそれぞれ配設されて前記把持部から露出する腹側指当部と背側指当部とからなり、
この腹側指当部と背側指当部とのうち、一方の指当部における一つの第一指当部と、他方の指当部で互いに分離して隣接する二つの第二指当部と、この一つの第一指当部の両箇所とこの二つの第二指当部の一箇所との間で第二の材料により前記把持部内でこの第一指当部及び第二指当部と一体に架橋成形された状態で互いに分離して隣接する保持部としての二つの架橋部とからなる一組の指当部群を柄の延設方向に沿って複数組互いに連続させて配設するとともに、互いに隣接する二組の指当部群のうち一組の指当部群の一つの架橋部と別の一組の指当部群の一つの架橋部とを互いに兼用し、この把持部と各指当部群とを一体成形して各組の指当部群毎に互いに隣接する両架橋部間で把持部の一部を挟むとともに一つの第一指当部に対する反対側で互いに隣接する二つの第二指当部間に把持部の一部を露出させ、
前記架橋部が延びる前記第一指当部及び第二指当部とこの架橋部との間の境界部には、架橋部の横断面積よりも第一指当部及び第二指当部の横断面積を大きくすることにより係止部を設けて架橋部の延設方向への指当部の動きを規制するようにした
ことを特徴とする剃刀の柄。
【請求項２】
前記保持部としての架橋部が延びる前記指当部においてこの架橋部との間の境界部に対応する露出表面部には、この架橋部側へ凹む窪みを設けたことを特徴とする請求項１に記載の剃刀の柄。
【請求項３】
前記保持部としての架橋部を挟む前記両指当部においてこの架橋部との間の境界部に対応する両露出表面部のうち、一方の露出表面部はこの架橋部との境界部側へ凹む窪みを有し、他方の露出表面部はこの架橋部との境界部側に対する反対側へ凸状に設けられていることを特徴とする請求項１に記載の剃刀の柄。
【発明の詳細な説明】
【０００１】
【発明の属する技術分野】
本発明は、剃刀の柄に関するものである。
【０００２】
【従来の技術及び発明が解決しようとする課題】
従来の剃刀においては、把持部に対し異なる材料により設けた指当部を取着した柄が存在する。しかし、柄の把持を頻繁に行った場合、この指当部に緩みが生じ易い。
【０００３】
この発明は、上記指当部の緩みを防止することを目的としている。
【０００４】
【課題を解決するための手段及び発明の効果】
後記実施形態の図面（図１〜２及び図７（ａ））の符号を援用して本発明を説明する。
【０００５】
請求項１の発明にかかる剃刀の柄は下記のように構成されている。
【０００６】
この剃刀の柄（４）は、第一の材料（樹脂など）により設けた把持部（５）と、この第一の材料（樹脂など）と異なる性質を有する第二の材料（樹脂など）により設けた指当部（６）とを備えている。前記指当部（６）は剃刀の刃先（２ａ）が向く側である腹側とその反対側である背側とでそれぞれ配設されて前記把持部（５）から露出する腹側指当部（８）と背側指当部（９）とからなる。一組の指当部群（１０，１１）は、この腹側指当部（８）と背側指当部（９）とのうち、一方の指当部（８または９）における一つの第一指当部（８aまたは９ｂ）と、他方の指当部（９または８）で互いに分離して隣接する二つの第二指当部（９ａ，９ｂまたは８ａ，８ｂ）と、この一つの第一指当部（８a，９ｂ）の両箇所とこの二つの第二指当部（９ａ，９ｂまたは８ａ，８ｂ）の一箇所との間で第二の材料により前記把持部（５）内でこの第一指当部（８a，９ｂ）及び第二指当部（９ａ，９ｂまたは８ａ，８ｂ）と一体に架橋成形された状態で互いに分離して隣接する保持部としての二つの架橋部（７ｂと７ｃ、７ｃと７ｄ）とからなり、柄（４）の延設方向（Ｙ）に沿って複数組互いに連続して配設されている。互いに隣接する二組の指当部群（１０，１１）のうち、一組の指当部群（１０）の一つの架橋部（７ｃ）と、別の一組の指当部群（１１）の一つの架橋部（７ｃ）とを互いに兼用している。この把持部（５）と各指当部群（１０，１１）とを一体成形して各組の指当部群（１０，１１）毎に互いに隣接する両架橋部（７ｂと７ｃ、７ｃと７ｄ）間で把持部（５）の一部を挟むとともに一つの第一指当部（８a，９ｂ）に対する反対側で互いに隣接する二つの第二指当部（８ａと８ｂ、９ａと９ｂ）間に把持部（５）の一部を露出させている。前記架橋部（７ｂ，７ｃ，７ｄ）が延びる前記第一指当部（８a，９ｂ）及び第二指当部（９ａ，９ｂまたは８ａ，８ｂ）とこの架橋部（７ｂ，７ｃ，７ｄ）との間の境界部（１２）には、架橋部（７ｂ，７ｃ，７ｄ）の横断面積よりも第一指当部（８a，９ｂ）及び第二指当部（９ａ，９ｂまたは８ａ，８ｂ）の横断面積を大きくすることにより係止部（１２ａ）を設けて架橋部（７ｂ，７ｃ，７ｄ）の延設方向（Ｚ）への指当部（６）の動きを規制するようにしている。ちなみに、第一の材料と第二の材料とが異なる性質を有するとは、同一材質間（例えば樹脂と樹脂との間）で、あるいは、異なる材質間（例えば木材等の天然素材と樹脂との間）で、硬度やヤング率や熱伝導率や吸水率や比熱や比重や摩擦係数などの性質が異なるために、柄（４）としての把持感触や把持バランスなどが異なることをいう。また、同一材質間では、添加物の混入の有無や添加物の混入率の相違や表面コーティングの相違などにより異なる性質になるようにしてもよい。例えば、光触媒機能により、抗菌や防汚や脱臭などの効果を発揮する酸化チタンを混入したりコーティングしたりする。
【０００７】
上記請求項１の発明では、一つの架橋部（７ｃ）を互いに兼用した一組の指当部群（１０，１１）を柄（４）の延設方向（Ｙ）に沿って複数組互いに連続して配設したので、各架橋部（７ｂ，７ｃ，７ｄ）が把持部（５）に対する指当部（６）の動きを規制するとともに、境界部（１２）の係止部（１２ａ）により各架橋部（７ｂ，７ｃ，７ｄ）の延設方向（Ｚ）への指当部（６）の動きを規制して、柄（４）の把持を頻繁に行った場合に生じ易くなる指当部（６）における腹側指当部（８）及び背側指当部（９）の緩みを防止することができる。
【００１７】
請求項２の発明は請求項１の発明を前提として下記のように構成されている。
保持部としての架橋部（７ｄ）が延びる指当部（８ｂ）においてこの架橋部（７ｄ）との間の境界部（１２）に対応する露出表面部（１３）には、この架橋部（７ｄ）側へ凹む窪み（１３ａ）を設けた。請求項２の発明では、柄（４）に対する把持機能を目的に応じて変化させることができる。
【００１８】
請求項３の発明は請求項１の発明を前提として下記のように構成されている。
保持部としての架橋部（７ｄ）を挟む両指当部（８ｂと９ｂ）においてこの架橋部（７ｄ）との間の境界部（１２）に対応する両露出表面部（１３，１４）のうち、一方の露出表面部（１３）はこの架橋部（７ｄ）との境界部（１２）側へ凹む窪み（１３ａ）を有し、他方の露出表面部（１４）はこの架橋部（７ｄ）との境界部（１２）側に対する反対側へ凸状に設けられている。請求項３の発明では、柄（４）に対する把持機能を目的に応じて変化させることができる。
【００２４】
【発明の実施の形態】
まず、本発明の実施形態にかかる剃刀の柄及びその製造方法について図１〜２及び図７（ａ）を参照して説明する。
【００２５】
剃刀本体１は、替刃カートリッジ２が着脱可能に支持される頭部３と、この頭部３に取着された柄４とからなる。この柄４は大別して把持部５と指当部６と保持部７とからなり、指当部６が把持部５から柄４の外側へ露出しているとともに、指当部６から延設された保持部７が把持部５内に埋設されている。この柄４を製造する場合には、まず、第一の成形型（図示しない樹脂用成形金型）に第一の材料としての樹脂（例えばアイオノマーなどの硬質樹脂）を注入して図７（ａ）に示す把持部５を成形する。次に、第一の成形型から取り出した把持部５を第二の成形型（図示しない樹脂用成形金型）にインサートし、第二の成形型に第二の材料としての樹脂（例えばエラストマーなどの軟質樹脂）を注入して、互いに一体に成形された指当部６と保持部７とを把持部５に対し一体に成形する。その後、第二の成形型から柄４を取り出す。
【００２６】
前記指当部６は、替刃カートリッジ２の刃先２ａが向く側である腹側とその反対側である背側とでそれぞれ柄４の周方向Ｘへ配設されて把持部５から露出する腹側指当部８と背側指当部９とからなる。さらに、この腹側指当部８と背側指当部９とは、それぞれ、柄４の延設方向Ｙに沿って配設された二つの分離指当部８ａ，８ｂ，９ａ，９ｂからなり、この両分離指当部８ａ，８ｂ間と両分離指当部９ａ，９ｂ間で把持部５が柄４の外側へ露出している。
【００２７】
前記保持部７は、前記腹側指当部８と背側指当部９との間で架橋されて柄４の延設方向Ｙに沿って配設された四本の架橋部７ａ，７ｂ，７ｃ，７ｄからなり、互いに隣接する両架橋部７ａ，７ｂ間と両架橋部７ｂ，７ｃ間と両架橋部７ｃ，７ｄ間で把持部５の一部が挟まれている。
【００２８】
換言すれば、前記指当部６は、柄４の延設方向Ｙに沿って互いに連続して配設された二組の指当部群１０，１１からなる。一組の指当部群１０は、腹側指当部８における一つの分離指当部８ａと、背側指当部９で互いに分離して隣接する二つの分離指当部９ａ，９ｂと、この分離指当部８ａの両箇所とこの両分離指当部９ａ，９ｂの一箇所との間で架橋された状態で互いに分離して隣接する二つの架橋部７ｂ，７ｃとからなる。別の一組の指当部群１１は、背側指当部９における一つの分離指当部９ｂと、腹側指当部８で互いに分離して隣接する二つの分離指当部８ａ，８ｂと、この分離指当部９ａの両箇所とこの両分離指当部８ａ，８ｂの一箇所との間で架橋された状態で互いに分離して隣接する二つの架橋部７ｃ，７ｄとからなる。
【００２９】
前記各架橋部７ｂ，７ｃ，７ｄが延びる各分離指当部８ａ，８ｂ，９ａ，９ｂとこの各架橋部７ｂ，７ｃ，７ｄとの間の境界部１２においては、各架橋部７ｂ，７ｃ，７ｄの横断面積よりも各分離指当部８ａ，８ｂ，９ａ，９ｂの横断面積が大きくなって係止部１２ａが形成されている。この各境界部１２の係止部１２ａにより、各架橋部７ｂ，７ｃ，７ｄの延設方向Ｚへの各分離指当部８ａ，８ｂ，９ａ，９ｂの動きが規制される。
【００３０】
前記架橋部７ｄを挟む両分離指当部８ｂ，９ｂにおいて架橋部７ｄとの間の境界部１２に対応する両露出表面部１３，１４のうち、分離指当部８ｂ側の露出表面部１３は境界部１２側へ凹む浅い窪み１３ａを有し、分離指当部９ｂ側の露出表面部１４は境界部１２側に対する反対側へ低い凸状に設けられている。この窪み１３ａとこの露出表面部１４の凸状部分とは、架橋部７ｄの延設方向Ｚで互いに並んでいる。
【００３１】
次に、参考例にかかる剃刀の柄及びその製造方法について図３〜４及び図７（ｂ）（ｃ）を参照して説明する。
剃刀本体１は、替刃カートリッジ２が着脱可能にまたは着脱不能に支持される頭部３と、この頭部３から一体に延設された把持部５を有する柄４とからなる。
この柄４は、大別して、前記把持部５のほかに、指当部６と保持部７とからなり、指当部６が把持部５から柄４の外側へ露出しているとともに、指当部６から延設された保持部７が把持部５内に埋設されている。
【００３２】
この柄４を製造する場合には、まず、第一の成形型（図示しない樹脂用成形金型）に第一の材料としての樹脂（例えばＡＢＳなどの硬質樹脂）を注入して図７（ｂ）に示す把持部５を成形する。また、第二の成形型（図示しない樹脂用成形金型）に第二の材料としての樹脂（例えばエラストマーなどの軟質樹脂）を注入して図７（ｃ）に示す指当部６及び保持部７を成形する。次に、第一の成形型から取り出した把持部５と、第二の成形型から取り出した指当部６及び保持部７とを互いに組み付けて柄４とする。
【００３３】
あるいは、まず、成形型（図示しない樹脂用成形金型）に第一の材料としての樹脂を注入して図７（ｂ）に示す把持部５を成形する。次に、この成形型内に把持部５を残したまま、この成形型においてその片側部分のみを変更し、変更後の成形型に第二の材料としての樹脂を注入して図７（ｃ）に示す指当部６及び保持部７を成形する。
【００３４】
前記指当部６は、替刃カートリッジ２の刃先２ａが向く側である腹側とその反対側である背側とでそれぞれ配設されて把持部５から露出する腹側指当部８と背側指当部９とからなる。この背側指当部９は、柄４の延設方向Ｙに沿って単独で延び、背板部９ｃと両側板部９ｄとから断面コ字形状に形成されている。前記保持部７としての各架橋部７ｅ，７ｆは、この背側指当部９から腹側指当部８側へ板状に延設されて柄４の延設方向Ｙに沿って配設されている。この各架橋部７ｅ，７ｆのうち、一つの架橋部７ｅは背側指当部９の両側板部９ｄ間で剃刀本体１の頭部３側から柄４の下端側へ柄４の延設方向Ｙに沿って延設され、六つの架橋部７ｆは背側指当部９の両側板部９ｄ間で延設されて一つの架橋部７ｅから柄４の下端側へ柄４の延設方向Ｙに沿って配設されている。架橋部７ｅと架橋部７ｆとの間、架橋部７ｆと架橋部７ｆとの間では、それぞれ、把持部５の一部が挟まれ、背側指当部９の内側で把持部５に盗み凹部５ａが形成されている。前記腹側指当部８は、この各架橋部７ｅ，７ｆの端部にそれぞれ設けられて把持部５から突出する各分離指当部８ｃ，８ｄからなる。
【００３５】
換言すれば、前記指当部６は、柄４の延設方向Ｙに沿って互いに連続して配設された各組の指当部群１１からなる。一組の指当部群１１は、背側指当部９と、腹側指当部８で互いに分離して隣接する二つの分離指当部８ｃ，８ｄ、８ｄ，８ｄと、この背側指当部９の両箇所とこの両分離指当部８ｃ，８ｄ、８ｄ，８ｄの一箇所との間で架橋された状態で互いに分離して隣接する二つの架橋部７ｅ，７ｆ、７ｆ，７ｆとからなる。
【００３６】
前記各架橋部７ｅ，７ｆを挟む各分離指当部８ｃ，８ｄと背側指当部９において各架橋部７ｅ，７ｆとの間の境界部１２に対応する両露出表面部１３，１４のうち、背側指当部９側の露出表面部１４は境界部１２側へ凹む浅い窪み１４ａを有している。また、各分離指当部８ｃ，８ｄ側の露出表面部１３は境界部１２側に対する反対側へ低い凸状に設けられている。この窪み１４ａとこの露出表面部１３の凸状部分とは、架橋部７ｅ，７ｆの延設方向Ｚで互いに並んでいる。
【００３７】
前記分離指当部８ｃは把持部５の腹側面Ｌよりも内側に入っている。前記分離指当部８ｄの端面は、平面状をなし、この腹側面Ｌに一致している。図５に示す参考例の別例１では、図５（ａ）（ｂ）に示すように前記分離指当部８ｄの端面が平面状をなしているとともにこの腹側面Ｌから突出しているか、または、図５（ｃ）に示すように前記分離指当部８ｄの端面がこの腹側面Ｌから突出しているとともに窪み１３ｃを有している。図６に示す参考例の別例２では、前記分離指当部８ｄの端面がこの腹側面Ｌよりも内側に入っているとともに窪み１３ｃを有している。
【図面の簡単な説明】
【図１】  （ａ）は本発明の実施形態にかかる剃刀の本体及びその柄を示す側面図であり、（ｂ）は同じく背面図であり、（ｃ）は同じく正面図である。
【図２】  （ａ）は図１（ｂ）のＡ−Ａ線部分断面図であり、（ｂ）は（ａ）のＢ−Ｂ線部分拡大断面図であり、（ｃ）は（ａ）のＣ−Ｃ線部分拡大断面図であり、（ｄ）は（ａ）のＤ−Ｄ線部分拡大断面図である。
【図３】  （ａ）は参考例にかかる剃刀の本体及びその柄を示す部分側面図であり、（ｂ）は同じく部分背面図であり、（ｃ）は同じく部分正面図である。
【図４】  （ａ）は図３（ｂ）のＥ−Ｅ線部分断面図であり、（ｂ）は（ａ）のＦ−Ｆ線部分拡大断面図であり、（ｃ）は（ａ）のＧ−Ｇ線部分拡大断面図であり、（ｄ）は（ａ）のＨ−Ｈ線部分拡大断面図である。
【図５】  （ａ）は参考例の別例１の１にかかる剃刀の本体及びその柄を示す図４（ａ）相当図であり、（ｂ）は（ａ）のＩ−Ｉ線部分拡大断面図であり、（ｃ）は参考例の別例１の２において上記（ｂ）に相当する部分拡大断面図である。
【図６】  （ａ）は参考例の別例２にかかる剃刀の本体及びその柄を示す図４（ａ）相当図であり、（ｂ）は（ａ）のＪ−Ｊ線部分拡大断面図である。
【図７】  （ａ）は本発明の実施形態にかかる剃刀の柄を製造する途中状態を示す部分断面図であり、（ｂ）は参考例にかかる剃刀の柄において図４（ａ）の状態から指当部のみを取り外した状態を示す部分拡大断面図であり、（ｃ）は参考例にかかる剃刀の柄において指当部のみを示す正面図である。
【符号の説明】
１…剃刀本体、２…替刃カートリッジ、２ａ…刃先、４…柄、５…把持部、６…指当部、７…保持部、７ａ，７ｂ，７ｃ，７ｄ，７ｅ，７ｆ…架橋部、８…腹側指当部（８ａ，８ｂ，８ｃ，８ｄ）、９…背側指当部（９ａ，９ｂ）、１０，１１…指当部群、１２…境界部、１２ａ…係止部、１３，１４…露出表面部、１３ａ，１４ａ…窪み、Ｘ…柄の周方向、Ｙ…柄の延設方向、Ｚ…保持部の延設方向。
【図１】
0004299494.tif 000002
【図２】
0004299494.tif 000003
【図３】
0004299494.tif 000004
【図４】
0004299494.tif 000005
【図５】
0004299494.tif 000006
【図６】
0004299494.tif 000007
【図７】
0004299494.tif 000008